(57)【要約】【課題】  街路照明において、各場所の不安感の高さを同程度まで軽減させることにより、街路全体の整備を効率的に実施する。【解決手段】  街路２を自然監視性の高い第１の街路Ａとこの第１の街路Ａに連続した自然監視性の低い第２の街路Ｂとに分け、第１の街路Ａに設けられた第１の照明器具１と第２の街路Ｂに設けられた第２の照明器具７とにより照明し、かつ第１の街路Ａの鉛直面照度に対して第２の街路Ｂの鉛直面照度を２〜５倍にする。このように、自然監視性の高低を考慮した各街路の照度を設定することにより、高い犯罪不安感を周辺の街路と同程度の不安感まで軽減し、街路全体を同程度の不安感に軽減でき、街路を効率的に整備することができる。【選択図】  図１
2005158280.tif 000002
【特許請求の範囲】
【請求項１】
街路を自然監視性の高い第１の街路とこの第１の街路に連続した自然監視性の低い第２の街路とに分け、前記第１の街路に設けられた第１の照明器具と前記第２の街路に設けられた第２の照明器具とにより照明し、かつ前記第１の街路の鉛直面照度に対して前記第２の街路の鉛直面照度を２〜５倍にすることを特徴とする街路照明方法。
【請求項２】
前記第１および第２の照明器具は街路に点在して設けられ、前記鉛直面照度は前記第１および第２の照明器具が設けられた第１および第２の街路における最小の鉛直面照度である請求項１記載の街路照明方法。
【請求項３】
前記第１の街路の鉛直面照度に対して、前記第２の街路の鉛直面照度を約３倍にする請求項１記載の街路照明方法。
【請求項４】
前記第２の街路に隣接する施設の敷地内の箇所にも前記第２の照明器具により照明する請求項１記載の街路照明方法。
【発明の詳細な説明】
【技術分野】
【０００１】
この発明は、屋外の街路照明方法に関するものである。
【背景技術】
【０００２】
従来、街路照明は、図９に示すように、ポール照明器具または電柱共架式照明器具１によりほぼ等間隔に設置され、街路２をできる限り均一に照明している。３は歩行者、４は照度分布を示している。防犯のための明るさの基準として、社団法人日本防犯設備協会が平均水平面照度３ルクス、最小鉛直面照度０．５ルクスを推奨照度としている。その目的は、４ｍ先の歩行者の顔の向きや挙動姿勢などが分かるようにし、最低限の防御行動がとれるようにするものである。ここで、平均水平面照度とは、街路の路面上の平均照度であり、最小鉛直面照度は、街路の中心線上で路面より１．５ｍの高さ、道路軸に対して直角な鉛直面の最小照度である。また、日本工業規格（ＪＩＳ）にて「歩行者に対する道路照明の基準」（ＪＩＳ  Ｚ９１１１）が、照明学会で「歩行者のための屋外公共照明基準」（ＪＩＥＣ−００６）が規定されている。これらの中で、歩行者の交通量や周辺の明るさによって区分され照度値が設定されている。交通量が多いほど、また周辺が明るいほど、照度は高い値としている。
【０００３】
また、照明器具が取り付けられた街路柱を所定の間隔で街路に沿って配置して、街路長軸方向の鉛直面照度の最低値０．５ルクスを確保することが、特許文献１に記載されている。
【特許文献１】特開２０００−３３１５０４号公報
【発明の開示】
【発明が解決しようとする課題】
【０００４】
近年は、犯罪が増加傾向にあり、犯罪に住民の不安感も増加してきており、安全で安心な都市空間の整備が望まれている。都市空間において住民が不安に感じるのは、周辺住民の目が自然とは行き届きにくい自然監視性が低い場所であることが多い。住宅街路のような自然監視性が高い場所に比べて不安を感じるのは、何かあっても救援の期待が低いためであると考えられる。
【０００５】
従来の街路照明方法では、街路の周辺の住宅であっても公園などの公共施設であっても同程度の照度で照明しており、自然監視性の高低を考慮した照明設計はされていなかった。このため、住民の不安感は自然監視性の低い場所で他の場所よりも高くなっており、不安感の高さは場所ごとに異なっているのが通常である。また、住民の要望により街路照明を整備する場合も街路全体を一様に高い照度を確保するよう整備しており、省エネルギーの観点から問題があった。
【０００６】
したがって、この発明の目的は、上記問題点を鑑みてなされたものであり、不安感の高い場所を重点的に整備するなど、場所に応じた対策を行い、各場所の不安感の高さを同程度まで軽減させることにより、街路全体の整備を効率的に実施することができる街路照明方法を提供することである。
【課題を解決するための手段】
【０００７】
上記課題を解決するためにこの発明の請求項１記載の街路照明方法は、街路を自然監視性の高い第１の街路とこの第１の街路に連続した自然監視性の低い第２の街路とに分け、前記第１の街路に設けられた第１の照明器具と前記第２の街路に設けられた第２の照明器具とにより照明し、かつ前記第１の街路の鉛直面照度に対して前記第２の街路の鉛直面照度を２〜５倍にする。
【０００８】
請求項２記載の街路照明方法は、請求項１記載の街路照明方法において、前記第１および第２の照明器具は街路に点在して設けられ、前記鉛直面照度は前記第１および第２の照明器具が設けられた第１および第２の街路における最小の鉛直面照度である。
【０００９】
請求項３記載の街路照明方法は、請求項１記載の街路照明方法において、前記第１の街路の鉛直面照度に対して、前記第２の街路の鉛直面照度を約３倍にする。
【００１０】
請求項４記載の街路照明方法は、請求項１記載の街路照明方法において、前記第２の街路に隣接する施設の敷地内の箇所にも前記第２の照明器具により照明する。
【発明の効果】
【００１１】
この発明の請求項１記載の街路照明方法によれば、街路を自然監視性の高い第１の街路とこの第１の街路に連続した自然監視性の低い第２の街路とに分け、第１の街路に設けられた第１の照明器具と第２の街路に設けられた第２の照明器具とにより照明し、かつ第１の街路の鉛直面照度に対して第２の街路の鉛直面照度を２〜５倍にするので、自然監視性の高低を考慮した各街路の照度を設定することにより、自然監視性の低い街路における高い犯罪不安感を周辺の街路と同程度の不安感まで軽減し、街路全体を同程度の不安感に軽減でき、街路を効率的に整備することができる。これにより、犯罪不安感の高低を住民アンケートなどで調査する必要がなく、街路周辺環境の特徴により自然監視性の高低を求め、各街路の照度を設定すればよく、容易に実施できる手法であるといえる。また、街路全体を一様に高い照度を確保するように整備する場合に比べて省エネルギーを図ることができる。
【００１２】
請求項２では、第１および第２の照明器具は街路に点在して設けられ、鉛直面照度は第１および第２の照明器具が設けられた第１および第２の街路における最小の鉛直面照度であるので、日本工業規格（ＪＩＳ）に規定されている最小鉛直面照度を基準にして照度値を設定することができる。
【００１３】
請求項３では、第１の街路の鉛直面照度に対して、第２の街路の鉛直面照度を約３倍にすることが望ましい。すなわち、不安感を軽減するために必要な照度において、自然監視性の高い第１の街路に必要な照度ａと、自然監視性の低い第２の街路に必要な照度ｂとの関係は、照度ｂは照度ａの２〜５倍であるためその略中間の約３倍とすることで、街路を効率的に整備することができる。
【００１４】
請求項４では、第２の街路に隣接する施設の敷地内の箇所にも第２の照明器具により照明するので、例えば、自然監視性の低い第２の街路の両側または片側が、公園、駐車場、学校などの公共施設や空き地、公開空き地などの場合に、これらの敷地内の箇所の照度が高くなりさらに不安感をなくすことができる。
【発明を実施するための最良の形態】
【００１５】
この発明の第１の実施の形態を図１ないし図５に基づいて説明する。図１は本発明の第１の実施形態における街路と照度の関係を示した概念図であり、街路を上部から見たものである。
【００１６】
図１において、１は街路照明器具（第１の照明器具）、２は街路、３は歩行者、５は自然監視性の低い場所、６は自然監視性の高い場所、７は自然監視性の低い場所に設置する街路照明器具（第２の照明器具）である。街路２は第１の街路Ａと第２の街路Ｂとからなる。
【００１７】
第２の街路Ｂは自然監視性の低い街路であり、第１の街路Ａは自然監視性が高い街路である。自然監視性の低い街路というのは、人の視線が自然とは行き届く状態ではない街路のことをいい、例えば、街路の両側または片側が、公園、駐車場、学校などの公共施設や空き地、公開空き地などの場合である。逆に自然監視性の高い街路というのは、人の視線が自然と行き届く状態である街路のことをいい、例えば両側が住宅である場合や営業している店舗である場合をいう。
【００１８】
このように、街路２を自然監視性の高い第１の街路Ａとこの第１の街路Ａに連続した自然監視性の低い第２の街路Ｂとに分け、第１の街路Ａに設けられた第１の照明器具１と第２の街路Ｂに設けられた第２の照明器具７とにより照明する。この際、第１の街路Ａに設けられた第１の照明器具１に対して、高い光出力を有した第２の照明器具７を第２の街路Ｂに設けることにより、第２の街路Ｂの鉛直面照度を第１の街路Ａの鉛直面照度の２〜５倍にする。この場合、第１および第２の照明器具１，７は街路２に点在して設けられ、鉛直面照度は第１および第２の照明器具１，７が設けられた第１および第２の街路Ａ，Ｂにおける最小の鉛直面照度である。
【００１９】
図２は、街路照明において自然監視性を考慮したときの、不安に感じる住民の数と最小鉛直面照度との関係を示したグラフである。これは、住民がどこで犯罪不安を感じるかのアンケート調査（８３６名分を回収）を実施した結果と、その地区内の１６箇所の街路の照度を調査した結果から求めたものである。縦軸の不安人数は、アンケート調査により不安に感じると申告した各街路ごとの人数である。横軸の最小鉛直面照度は、各街路の中心線上で路面より１．５ｍの高さ、道路軸に対して直角な鉛直面の最小照度のことである。グラフのうち、Ａは自然監視性の高い街路７箇所の調査結果、Ｂは自然監視性の低い街路９箇所の調査結果より求めた関係である。この結果より、不安に感じる人がほとんどいなくなるためには、街路Ａで最小鉛直面照度１．５ルクス程度、街路Ｂで最小鉛直面照度４．５ルクス程度であることが分かる。
【００２０】
図３は、自然監視性の高低と不安感を軽減するために必要な照度の関係を示したグラフである。図３に示すように、上記の結果をもとに、自然監視性の高低により必要な照度の関係をまとめると、自然監視性の高い街路Ａに必要な照度ａ、および自然監視性の低い街路Ｂに必要な照度ｂの関係は、次のとおりである。すなわち、照度ｂは照度ａの２〜５倍であり、約３倍であることが望ましい。
【００２１】
図４は、街路の部位ごとに必要な最小鉛直面照度の設定を示したグラフである。横軸が街路の部位ごとの特性、縦軸が必要な鉛直面照度である。図４に示すように、自然監視性の高い街路Ａは照度ａ、自然監視性の低い街路Ｂは照度ｂとし、それぞれの街路の範囲で照度を一定にする。
【００２２】
図５は、本発明の第１の実施形態において照明器具を追加で設置した概念図である。図５において、８は自然監視性の低い場所へ設置する街路照明器具である。このように、自然監視性の低い街路Ｂに照明器具８を追加で設けることにより、必要な照度ｂを確保するものである。
【００２３】
この発明の第２の実施の形態を図６に基づいて説明する。図６は本発明の第２の実施形態における壁面取付照明器具を設置した概念図である。
【００２４】
本実施形態では、第１の実施形態において、照明器具を壁面に取り付けている。すなわち、図６に示すように、自然監視性の低い街路Ｂ（図１）において、壁面９が続くような場合、壁面取付用照明器具１０を壁面９に取り付けることにより照度ｂを確保することができる。
【００２５】
この発明の第３の実施の形態を図７に基づいて説明する。図７は本発明の第３の実施形態の街全体において街路の特性を考慮して照度を設定した概念図である。
【００２６】
本実施形態では、第１、２の実施形態において、街全体において自然監視性の高低を考慮している。すなわち、図７に示すように、街全体で自然監視性の低い場所５および街路２の特性を考慮し、自然監視性の低い街路Ｂに照度ｂを確保するように設定することができる。
【００２７】
この発明の第４の実施の形態を図８に基づいて説明する。図８は本発明の第４の実施形態における街路と照度の関係を示した概念図であり、街路を上部から見たものである。
【００２８】
本実施形態では、第１の実施形態において、自然監視性の低い街路に隣接した施設の敷地内の箇所にも第２の照明器具７により照明する。すなわち、図８に示すように、自然監視性の低い街路Ｂに隣接した敷地内の街路側も街路Ｂと同等の照度ｂにて照明するものである。照明する範囲は、およそ１０ｍ以上であることが望ましい。
【図面の簡単な説明】
【００２９】
【図１】本発明の第１の実施形態における街路と照度の関係を示した概念図である。
【図２】街路照明において自然監視性を考慮したときの、不安に感じる住民の数と最小鉛直面照度との関係を示したグラフである。
【図３】自然監視性の高低と不安感を軽減するために必要な照度の関係を示したグラフである。
【図４】街路の部位ごとに必要な最小鉛直面照度の設定を示したグラフである。
【図５】本発明の第１の実施形態において照明器具を追加で設置した概念図である。
【図６】本発明の第２の実施形態における壁面取付照明器具を設置した概念図である。
【図７】本発明の第３の実施形態の街全体において街路の特性を考慮して照度を設定した概念図である。
【図８】本発明の第４の実施形態における街路と照度の関係を示した概念図である。
【図９】従来例における街路と照度の関係を示した概念図である。
【符号の説明】
【００３０】
１  街路照明器具
２  街路
３  歩行者
４  従来の街路照明手法による照度分布
５  自然監視性の低い場所（例えば、公園、駐車場、学校、空き地などの公共施設）
６  自然監視性の高い場所（例えば、住宅など）
７  自然監視性の低い場所へ設置する街路照明器具
８  自然監視性の低い場所へ設置する街路照明器具
９  壁面
１０  壁面取付用照明器具
【図１】
2005158280.tif 000003
【図２】
2005158280.tif 000004
【図３】
2005158280.tif 000005
【図４】
2005158280.tif 000006
【図５】
2005158280.tif 000007
【図６】
2005158280.tif 000008
【図７】
2005158280.tif 000009
【図８】
2005158280.tif 000010
【図９】
2005158280.tif 000011